(57)【要約】【課題】駐車場付き店舗の駐車スタンプ不要の駐車場管理システム。【解決手段】コンピュータ装置を利用したネットワークで駐車場と店舗レジスターを関連させ入庫情報・出庫情報・条件情報の入出力により入出庫許可を行う駐車場管理システム。【選択図】    図７
2004288130.tif 000002
【特許請求の範囲】
【請求項１】
入庫時に入力される入庫情報と出庫時に入力される出庫情報及び出庫許可に必要な条件情報を持ち、入庫情報に入庫時刻を関連させて記録し、出庫時に入力された出庫情報を前記入庫時の入庫情報と照合し、且つ前記条件情報とも照合して、入庫情報と出庫情報及び条件情報があらかじめ決められた条件に合致するとき出庫許可・不許可の判断をし、入庫時刻から出庫時刻までの駐車時間を算出するコンピューター装置を備えた駐車場管理システムにおいて、すくなくとも出庫可能な前記出庫時の時刻を指定できる条件情報を時刻と関連してあらかじめ設定しておき、出庫するときにこの条件情報と前記入庫情報が入力されると、前記コンピュータ装置内で前記駐車時間を算出することを特徴とする駐車場管理システム。
【請求項２】
条件情報にはコンピューター装置内で時刻と関連して処理できる最大許可駐車時間を特定できる情報が前記コンピューター装置外の一般時計時刻表示とは無関係な表示となるように含まれており、これを目視にて読み取り可能な表示又は印刷物として出力できることを特徴とする請求項１に記載の駐車場管理システム。
【請求項３】
条件情報は領収書等の印刷物に印刷されることを特徴とする請求項１、２のいずれかに記載の駐車場管理システム。
【請求項４】
複数台の駐車スペースを持ち入庫と出庫を管理できるゲート装置を備えており、入庫情報と条件情報が入力されるとゲートが開くことを特徴とする請求項１、２、３のいずれかに記載の駐車場管理システム。
【請求項５】
個別の駐車スペースを持ち１台分毎に駐車センサーとタイヤロック又は車体ロック装置を備えており、条件情報が入力されるとロックが開放されることを特徴とする請求項１、２、３、のいずれかに記載の駐車場管理システム。
【請求項６】
条件情報は数字・記号・アルファベット・文字・絵等のいずれかを用い紙等に記入し表示可能な有形媒体と磁力・磁気含有インク等で記入された媒体、情報信号として記録されるＩＣカード等の媒体、無線・有線・音声・光通信等による媒介・通信手段のいずれか又は適宜組合せて記録されることを特徴とする請求項１、２、３、４、５のいずれかに記載の駐車場管理システム。
【請求項７】
条件情報はレシートナンバーで有ることを特徴とする請求項１、２、３、４、５、６のいずれかに記載の駐車場管理システム。
【請求項８】
コンピューター装置は商店のレジスター・領収書発行装置と通信接続されていることを特徴とする請求項１、２、３、４、５、６、７のいずれかに記載の駐車場管理システム。
【請求項９】
コンピューター装置は入庫情報、出庫情報、条件情報から駐車場利用者の利用店舗、買上金額、商品名、利用日時等が検索・編集が可能となるように記録できることを特徴とする請求項１、２、３、４、５、６、７、８のいずれかに記載の駐車場管理システム。
【発明の詳細な説明】
【０００１】
【発明の属する技術分野】
本発明は、入庫時刻と出庫時刻の時間差から駐車時間を算出することができ、入庫情報と出庫情報を関連させあらかじめ決められた条件に合致したとき出庫許可とすることができる駐車場管理システムに関するものである。
【０００２】
【従来の技術】
駐車場管理システムスのあるマーケット等で買い物をすると、領収金額に応じて最大許可駐車時間が指定されるのが一般的である、一般的には入庫時に入庫情報として入庫時刻が記録された駐車券を受取ることにより駐車が許可され買い物をするとレジ又はサービスカウンターで申請によりこの駐車券に条件情報として磁気インク等のスタンプ・捺印がされ、この捺印済みの駐車券を出庫時に駐車場出口で提示し、提示された駐車券をセンサーが読み取り出庫時の出庫情報と入庫情報及び条件情報を照合することにより出庫の可否が判断される。
【０００３】
前記の場合最大許可駐車時間はレシートや領収書等の領収金額を係員が目視で読み取りあらかじめ決められている領収金額と最大許可駐車時間が対応する位置に捺印又は異なる印影を捺印・スタンプする。
【０００４】
出庫時にセンサーにより読み取られた捺印済みの駐車券には入庫時に記録されている入庫情報と捺印による条件情報及び出庫情報を照合して実際の駐車時間が最大許可駐車時間以内であれば出庫許可として駐車場ゲートを開く又はロックの解除を行う。実際の駐車時間が最大許可駐車時間を超えている場合は時間を充足する為の金額を支払い出庫許可を得る。
【０００５】
【発明が解決しようとする課題】
第１は駐車券と領収書がそれぞれ必要であり特に使い捨ての駐車券は廃棄処理に費用がかかる。第２は領収書を見て駐車券に捺印等条件情報を記載するので設備器具と係員の労力に費用がかかる。第３にコンピューターシステムが買い物レジスター用と駐車場用にそれぞれ揃えることは費用がかかる。
【０００６】
【課題を解決するための手段】
本発明は駐車場管理システムとして買い物レジスター用コンピューターシステムと共用又は連係して情報処理を行うシステムを提案するものである。
【０００７】
本発明は駐車券を使用せず、入庫時にセンサー又は手入力で入庫情報として識別番号を入力することによりこの識別番号に付随した入庫時刻情報がコンピューター内でデータ記録される、次に買い物をしてレジスターでレシートに領収金額に応じた最大許可駐車時間を示す為のあらかじめ決められた範囲内で重複することの無いレシートナンバー等又は乱数的な番号や記号等で記載・出力しこれを条件情報とする。次に出庫時にセンサー又は手入力で識別番号と条件情報が入力されると出庫情報としての出庫時刻と識別番号に付随している入庫時刻から駐車時間が算出され且つ条件情報に含まれる最大許可駐車時間を示す情報が、コンピューター内で照合され出庫の可否が判定されるものである。
【０００８】
【発明の実施の形態】
以下、図面を参照して本発明の好ましい実施の形態を説明する。図１乃至図６において、１はコンピューター装置、２は入庫端末、３は出庫端末、４はレジスター端末、５はロック装置である。又、図７は参考としてフローチャートを図８はレシート関連データから得られる駐車場管理データと店舗売上データの比較関連を表すグラフ図である。
【０００９】
図１乃至図３は、本発明に係わる個別の駐車スペースを持ち１台分毎に駐車センサーと車体ロック装置を備えた店舗用の駐車場管理システムを説明する図である。
図１は駐車場の図で個別に３台分の駐車スペースがあり、それぞれに入庫情報を入力できる駐車センサーとしての入庫端末２とロック装置５が設けられている、又出庫時に必要な出庫情報と条件情報を入力するための出庫端末３も設けられている。コンピューター装置１と条件情報を入出力するレジスター端末４は図示していない店舗に備えられている。
【００１０】
図２はコンピューター装置１で情報を集中管理・処理する通信・接続図である。入庫端末２、出庫端末３、レジスター端末４、ロック装置５はそれぞれ破線で示すようにコンピュータ装置１に有線又は無線で通信・接続されている。
【００１１】
図３は情報のやり取りを表す概念図である。矢印付きの実線は主にコンピューター１への入力を示す、又、矢印付きの点線は主にコンピューター１からの出力を示す。。
【００１２】
コンピューター装置１では年・月・日・時・分時刻の時計機能が備えられている、又、情報処理プログラムであらかじめレジスター端末４からの領収金額情報に応じて最大許可駐車時間を算出しレシート番号と関連して記録してからレシート番号を条件情報としてレジスター端末４からレシートとして出力することができる。又、このとき領収金額情報と共に入庫時の識別番号或いは駐車スペース番号を入力することによりレシートに最大許可駐車時間または最大許可駐車時刻を出力することができる。
又、コンピューター装置１には通常の演算機能と照合機能が含まれており入庫情報、出庫情報、条件情報を照合・演算し出庫の可否の判断をすることができる。
【００１３】
図１の駐車スペース▲３▼に入庫したとき入庫端末２から入庫情報として「ＩＮ３」が入力されるとコンピューター装置１は時刻を関連させ「ＩＮ３」の入庫が１２時０３分であることを記録する。
次に個別記号「Ａ」のレジスター４から領収金額「１９８０円」が入力されるとレジスター４の個別記号「Ａ」と「１９８０円」に対応する最大許可駐車時間「２時間」を決定しレシート番号「Ａ２４６」と関連して記録し且つ、同レシート番号「Ａ２４６」を条件情報として記載したレシートを発行する。
【００１４】
出庫端末３にセンサー又は手入力で出庫情報として「ＯＵＴ３」「Ａ２４６」が入力されると、「ＯＵＴ３」の「３」が「ＩＮ３」の「３」が共通の識別番号としてコンピューター装置１に認識され、「ＯＵＴ３」の時刻（１３時３０分）と「ＩＮ３」の時刻（１２時０３分）の差が算出され、駐車時間はＡＮＳ３（０１時間２７分）となる。
又、「Ａ２４６」は条件情報としてコンピューター装置１内で最大駐車時間が２時間となっているので照合の結果出庫許可とすることができる。
この一連の情報処理により、コンピューター装置１は入庫時の入庫確認後のロック装置５へのＬＯＣＫ作動指示と、出庫時の出庫許可後のＯＰＥＮ作動指示を行い駐車場管理システムとして機能することができる。
【００１５】
図４乃至図６は、本発明に係わるゲート式の駐車場管理システムを説明する図である。
図４は駐車場の図で３台分の駐車スペースがあり、入庫情報はゲート入口（ＩＮ）で手入力又はカード等で入庫車の識別番号を入庫端末２から入力することによりゲートが開き（ＯＰＥＮ）駐車許可となる、次に出庫時は入庫時の識別番号とレシートの条件情報を出庫端末３から入力することにより出庫可能とすることができる。コンピューター装置１とレジスター端末４は図示していない店舗に備えられている。
【００１６】
図５はコンピューター装置１に通信・接続する図である。入庫端末２、出庫端末３、レジスター端末４は有線又は無線で通信・接続されている。
【００１７】
図６は情報のやり取りを表す概念図でコンピューター装置１の機能は図３での説明と同様であるが、例をあげて説明する。
【００１８】
入庫情報の識別番号「ＩＮ３１５」は時刻「１１時００分」と関連して記録される、次に個別記号「Ａ」のレジスター４から領収金額「３９８０円」が入力されると「Ａ」と「３９８０円」に対応する最大許可駐車時間「２時間」が決定されレシート番号「Ａ２４７６」と関連して記録し且つ、同レシート番号「Ａ２４７６」を条件情報として記載したレシートを発行する。
【００１９】
出庫端末３から時刻１２時００分に識別番号「ＯＵＴ３１５」と条件情報「Ａ２４７６」が入力されると、コンピューター装置１にて図３での説明と同様に演算・照合処理され識別番号「３１５」は出庫許可（ＯＰＥＮ）となる。
【００２０】
図７は前記図６の説明での情報のやり取りをフローチャートで表したものであり実施例参考図であり図中の「３１５」「ＩＮ３１５」「￥３９８０」「Ａ３９８０」「Ａ２４７６」「ＯＵＴ３１５」等は説明上使用したものであり図６と同様これに限るものではない。
【００２１】
図８は本発明の駐車場管理システムに関連した店舗レジスターのレシート関連データと駐車場管理データから得られる各種情報の一部を表したものであり、１個として数えられる駐車場管理システムを２個の店舗が共同使用している場合でレジスター又はレシート番号で区別されている、（Ａ）は店舗Ａの領収金額、（Ｅ）は店舗Ｂの領収金額を時刻と関連してグラフに表したものである。同様に（Ｂ）（Ｆ）は入庫台数、（Ｃ）（Ｇ）は駐車時間、（Ｄ）（Ｈ）は品名と領収金額がそれぞれ店舗別・時刻毎に表すことができる。
【００２２】
（Ｄ）に表された品名＃３の領収金額の実線は駐車場利用者であり、破線は駐車場利用者以外を含めた全体の領収金額である、これにより品名＃３の売上は１２時から１７時まで一定しているが駐車場利用者は１７時に集中しているのが解る、一方店舗Ｂの品名＃１０は破線で表した全売上と実線で表した駐車場利用者への売上がほぼ等しくなっており且つ店舗Ｂの売上金額、入庫台数、駐車時間との相関性が認められる。この様に各種情報から、店舗別、時刻毎、月日別、天気別等の各種環境条件と駐車場利用状況及び品名毎の売上状況の関連を見つけることにより、駐車場管理費の分担割合や商品の仕入れ・陳列時刻等店舗別の販売戦略を構築することができる。
【００２３】
図３、図６、図７で使用した「ＩＮ３」「Ａ１９８０」「Ａ２４６」「ＯＵＴ３」や「１０００円」「５０００円」「１時間」「２時間」「ＡＮＳ３」「ＡＮＳ３１５」等は説明上使用したものでありこれに限るものではない。
【００２４】
【実施例】
実施例として複数の店舗が共同管理のゲート式の駐車場管理システムの利用方法を説明する、利用者は入庫時任意の識別番号（例えば「３１５」）を入力すると重複が無ければゲートが開き入庫許可となる、買い物終了後に条件情報の記載された（例えばＡ２４７６）レシートを受け取り出庫時この番号「Ａ２４７６」を入庫時の識別番号「３１５」と共に入力すると、本発明の駐車場管理システムのコンピューター装置で情報処理されゲートが開き出庫許可となる。
【００２５】
店舗経営者は駐車場管理システムと関連した売上情報により駐車場管理費の分担割合や商品の仕入れ・陳列時刻等店舗別の販売戦略を構築することができる。
【００２６】
【発明の効果】
以上のように、本発明の駐車場管理システムはコンピューター装置及びネットワークによる店舗の売上情報と関連して駐車場の効率的経済的な管理・運用を行うことができる。
【００２７】
実施例や図面の説明で用いた認識番号やレシート番号等は数字やアルファベットに限らず各種記号、符号、絵、磁気、色、穴、バーコード等のいずれかを用いることができる、また、目視で読み取り可能となるよう紙等に記載・印刷すること。また、センサーで検出・読み取り可能になるよう紙、磁気カード、ＩＣカード等に記録すること。また、携帯電話等の無線通信等で入出力可能とすることのいずれか又は組合せて用いることがができる。また、条件情報はレシート番号と別にすることもできる。
【００２８】
図面の説明で記述した駐車台数や番号、識別番号等は任意であり、本発明の駐車場管理システムの運用上必要な条件を満足すれば良い。また、レジスターからの入力で条件情報が作成される際最大許可時間まで決定せず領収金額と関連した条件情報としておき、出庫時に最大許可時間を決定しても良い、この場合複数のレシートによる領収金額の合計で最大許可時間の決定ができる。
【００２９】
【図面の簡単な説明】
【図１】本発明の駐車場管理システムを備えた個別ロック装置付き駐車場の図である。
【図２】本発明の駐車場管理システムのコンピューター装置と各端末との通信・接続を示す図である。
【図３】本発明の駐車場管理システムの情報処理の具体的実施例の説明図である。
【図４】本発明の駐車場管理システムを備えたゲート式駐車場の図である。
【図５】本発明の駐車場管理システムのコンピューター装置と各端末との通信・接続を示す図である。
【図６】本発明の駐車場管理システムの情報処理の具体的実施例の説明図である。
【図７】本発明の駐車場管理システムの実施例の参考用フローチャート図である。
【図８】本発明の駐車場管理システムから得られる駐車場利用状況と店舗の売上状況との関連を表すグラフ図である。
【符号の説明】
１    コンピューター装置
２    入庫端末
３    出庫端末
４    レジスター端末
５    ロック装置
【図１】
2004288130.tif 000003
【図２】
2004288130.tif 000004
【図３】
2004288130.tif 000005
【図４】
2004288130.tif 000006
【図５】
2004288130.tif 000007
【図６】
2004288130.tif 000008
【図７】
2004288130.tif 000009
【図８】
2004288130.tif 000010